(57)【要約】    【課題】  パチンコ機の遊技の面白味や迫力を高めることができるようにする。    【解決手段】  遊技領域１２に、センター役物１４、入賞装置１５、可変入賞装置１７等を配置し、この遊技領域１２の左右両側方に、サブ遊技を行うための球振分装置２３〜２５を上下３段に並べて配置する。球振分装置２３〜２５はガラス枠２１の開口部２２に対向する範囲内に配置し、最下段の球振分装置２５は遊技領域１２の下端よりも下方に配置する。そして、センター役物１４の図柄表示装置１８で当りが成立したときに、入賞装置１５の開閉片１５ａを開放し、この入賞装置１５に入賞したパチンコ球を右側又は左側の最上段の球振分装置２３に供給する。そのパチンコ球が最上段の球振分装置２３と中段の球振分装置２４で共にセーフ孔に落下し、更に、最下段の球振分装置２５で当り凹部に入って大当りが成立したときに、可変入賞装置１７の大入賞口１７ａを開放する。    【選択図】  図１
2006042845.tif 000002
【特許請求の範囲】
【請求項１】
球発射装置から発射された遊技球が打ち込まれて転動する遊技領域を備えた遊技機において、
前記遊技領域以外の場所に、該遊技領域から供給された遊技球又はその他の部材の動作によって遊技を行う遊技手段が配置されていることを特徴とする遊技機。
【請求項２】
前記遊技手段は、前記遊技領域の前方に設けられたガラス扉の開口部に対向する範囲内に配置されていることを特徴とする請求項１に記載の遊技機。
【請求項３】
前記遊技領域で入賞した遊技球で前記遊技手段による遊技を行うように構成されていることを特徴とする請求項１又は２に記載の遊技機。
【請求項４】
前記遊技手段が上下複数段に並べて配置され、前記遊技領域から供給された遊技球又はその他の部材が上段側の遊技手段から下段側の遊技手段へ流下するように構成されていることを特徴とする請求項１乃至３のいずれかに記載の遊技機。
【請求項５】
前記遊技手段は、前記遊技領域の左右両側方に配置されていることを特徴とする請求項１乃至４のいずれかに記載の遊技機。
【請求項６】
球発射装置から発射された遊技球が打ち込まれて転動する遊技領域を備えた遊技機において、
前記遊技領域の下端よりも下方で且つ前記遊技領域の前方に設けられたガラス扉の開口部に対向する範囲内に、役物及び／又は装飾部材が配置されていることを特徴とする遊技機。
【発明の詳細な説明】
【技術分野】
【０００１】
本発明は、球発射装置から発射された遊技球が打ち込まれて転動する遊技領域を備えた遊技機に関するものである。
【背景技術】
【０００２】
パチンコ機等の遊技機は、例えば、特許文献１（特開２００１−１２０７４８号公報）に記載されているように、遊技盤の前面にレール等によって遊技領域を区画形成して、この遊技領域に図柄表示装置、可変入賞装置等を配置し、球発射装置から発射したパチンコ球を遊技領域に打ち込んで、遊技領域を転動するパチンコ球が所定の入賞口に入賞すると、図柄表示装置に表示された複数の図柄を変動させ、変動停止後の図柄の組み合わせが所定の大当りの組み合わせになったときに、可変入賞装置の大入賞口を開放して、通常よりもパチンコ球が入賞しやすくなるようにしたものが多い。
【特許文献１】特開２００１−１２０７４８号公報（第５頁〜第７頁等）
【発明の開示】
【発明が解決しようとする課題】
【０００３】
しかしながら、上記従来の遊技機では、遊技者に何らかの特典を与えるための手段が、遊技領域内に配置した図柄表示装置や可変入賞装置等の役物装置しかないので、遊技領域内に配置した役物装置だけにしか遊技者の期待や興味が沸かず、遊技の面白味や迫力が少ないという欠点がある。特に、近年の遊技機は、遊技領域の中央部に配置する図柄表示装置等のセンター役物が大型化して、他の入賞装置や役物装置の配置スペースが狭くなっているため、遊技領域内に配置する入賞装置や役物装置の設計の自由度が小さくなり、斬新な遊技性を開発しにくくなってきている。
【０００４】
本発明は、このような事情を考慮してなされたものであり、従って本発明の目的は、遊技者の期待や興味の対象を増加させることができて、遊技の面白味や迫力を高めることができる遊技機を提供することにある。
【課題を解決するための手段】
【０００５】
上記目的を達成するために、本発明の請求項１に記載の遊技機は、球発射装置から発射された遊技球が打ち込まれて転動する遊技領域を備えたものにおいて、遊技領域以外の場所に、該遊技領域から供給された遊技球又はその他の部材の動作によって遊技を行う遊技手段を配置した構成としたのものである。このようにすれば、遊技領域内に配置した役物装置等と、従来使用されていなかった遊技領域外に配置した遊技手段の両方に対して遊技者の期待や興味を抱かせることができ、遊技領域内外のスペースを有効に使用して遊技の面白味を効果的に高めることができる。しかも、遊技領域周辺に遊技手段を配置して遊技機前面を有効に利用した迫力のある遊技を実現することができる。
【０００６】
この場合、請求項２のように、遊技手段は、遊技領域の前方に設けられたガラス扉の開口部に対向する範囲内に配置するようにすると良い。このようにすれば、ガラス扉の開口部に対向する範囲内に遊技領域と遊技手段の両方を収めて両者に一体感を持たせることができ、遊技者に違和感を感じさせることなく遊技手段を配置することができる。
【０００７】
また、請求項３のように、遊技領域で入賞した遊技球（つまり入賞球）で遊技手段による遊技を行うようにしても良い。このようにすれば、遊技領域で遊技球が入賞することを遊技を行うための条件とすることができ、遊技性を高めることができる。
【０００８】
また、請求項４のように、遊技手段を上下複数段に並べて配置し、遊技領域から供給された遊技球又はその他の部材が上段側の遊技手段から下段側の遊技手段へ流下するように構成しても良い。このようにすれば、遊技手段による遊技を上段側から下段側へ一段ずつ順に進めることができ、遊技の面白味を更に向上させることができる。
【０００９】
更に、請求項５のように、遊技手段は、遊技領域の左右両側方に配置するようにしても良い。このようにすれば、遊技領域の左右両側方に遊技手段をバランス良く配置することができる。
【００１０】
また、請求項６のように、遊技領域の下端よりも下方で且つ遊技領域の前方に設けられたガラス扉の開口部に対向する範囲内に、役物及び／又は装飾部材を配置するようにしても良い。このようにすれば、従来にはない斬新なデザインの遊技機を実現することができて、遊技領域の下方に配置された役物や装飾部材に対しても遊技者の期待や興味を抱かせることができ、遊技の面白味を向上させることができると共に、遊技機前面を有効に利用した迫力のある遊技を実現することができる。
【発明を実施するための最良の形態】
【００１１】
以下、本発明の一実施例を図面に基づいて説明する。
まず、図１に基づいてパチンコ機（遊技機）の前面側の概略構成を説明する。パチンコ機の前面側には、遊技盤１１が取り付けられ、この遊技盤１１の前面に、遊技領域１２がレール１３、装飾部材２６等によって区画形成されている。球発射装置（図示せず）から発射したパチンコ球（遊技球）を遊技領域１２に打ち込むことで、パチンコ球が遊技領域１２を転動するようになっている。この遊技領域１２は、直径３００ｍｍの円よりも大きな形状になるように形成されている。この遊技領域１２の中央部には、メイン遊技用のセンター役物１４が設けられ、このセンター役物１４の上部に、サブ遊技用の入賞装置１５が設けられ、センター役物１４の下方に、始動入賞装置１６と可変入賞装置１７が設けられている。
【００１２】
センター役物１４には、ＣＲＴ、液晶表示器等で構成された図柄表示装置１８が設けられている。この図柄表示装置１８には、数字、絵柄等からなる複数の図柄が表示され、これらの図柄の組み合わせが所定の当りの組み合わせになったときに当りが成立する。また、遊技領域１２の最下部には、遊技領域１２で入賞しなかったパチンコ球（いわゆるアウト球）を回収するアウト球回収口１９が設けられ、このアウト球回収口１９に流入したパチンコ球は、遊技盤１１の裏面側に設けられた球集合樋（図示せず）へ流下するようになっている。
【００１３】
遊技盤１１（遊技領域１２）の前方には、ガラス扉２０が開閉可能に設けられている。このガラス扉２０のガラス枠２１の中央部には、遊技盤１１を見せるための開口部２２が形成され、この開口部２２に窓ガラスが取り付けられている。
【００１４】
また、遊技領域１２の右側方と左側方には、それぞれサブ遊技を行うための球振分装置２３〜２５（遊技手段）が上下３段に並べて配置されている。各球振分装置２３〜２５は、ガラス扉２０の開口部２２（窓ガラス）に対向する範囲内に配置され、最下段の球振分装置２５は、遊技領域１２の下端よりも下方（つまり、アウト球回収口１９よりも下方）に配置されている。これらの球振分装置２３〜２５を取り囲むように設けられた装飾部材２６の側面壁２６ａによって球振分装置２３〜２５の配置スペースと遊技領域１２とが仕切られている。
【００１５】
図２に示すように、サブ遊技用の入賞装置１５に入賞したパチンコ球（つまり入賞球）が流下する球流下路２７は、右方に延びる球流下路２８と左方に延びる球流下路２８とに分岐され、その分岐部に、流路切換弁２９が配置されている。この流路切換弁２９は、モータ等のアクチュエータ（図示せず）によって駆動され、サブ遊技用の入賞装置１５に入賞したパチンコ球を右側の球流下路２８へ流下させる位置と、左側の球流下路２８へ流下させる位置との間を切換可能に設けられている。
【００１６】
右側及び左側の球流下路２８の下端部には、それぞれ最上段の球振分装置２３が接続され、右側及び左側の球流下路２８の途中には、それぞれ球流下路２８を流下するパチンコ球を検出する近接スイッチ等の球検出センサ３０が配置されている。
【００１７】
また、右側及び左側の最上段の球振分装置２３の下方には、それぞれ第１セーフ球流下路３１と第１アウト球流下路３２が設けられ、第１セーフ球流下路３１の下端部に、中段の球振分装置２４が接続されている。第１セーフ球流下路３１には、該第１セーフ球流下路３１を流下するパチンコ球を検出する近接スイッチ等の第１セーフ球検出センサ３３が配置され、第１アウト球流下路３２には、該第１アウト球流下路３２を流下するパチンコ球を検出する近接スイッチ等の第１アウト球検出センサ３４が配置されている。
【００１８】
更に、右側及び左側の中段の球振分装置２４の下方には、それぞれ第２セーフ球流下路３５と第２アウト球流下路３６が設けられ、第２セーフ球流下路３５の下端部に、最下段の球振分装置２５が接続されている。第２セーフ球流下路３５には、該第２セーフ球流下路３５を流下するパチンコ球を検出する近接スイッチ等の第２セーフ球検出センサ３７が配置され、第２アウト球流下路３６には、該第２アウト球流下路３６を流下するパチンコ球を検出する近接スイッチ等の第２アウト球検出センサ３８が配置されている。
【００１９】
更に、右側及び左側の最下段の球振分装置２５の下方には、それぞれ当り球流下路３９と第３アウト球流下路４０が設けられている。当り球流下路３９には、該当り球流下路３９を流下するパチンコ球を検出する近接スイッチ等の当り球検出センサ４１が配置され、第３アウト球流下路４０には、該第３アウト球流下路４０を流下するパチンコ球を検出する近接スイッチ等の第３アウト球検出センサ４２が配置されている。
【００２０】
次に、図３及び図４を用いて、右側及び左側の最上段の球振分装置２３と中段の球振分装置２４の構成を説明する。右側の最上段の球振分装置２３と中段の球振分装置２４、左側の最上段の球振分装置２３と中段の球振分装置２４は、ほぼ同じ構成であるため、同一の図面（図３及び図４）を用いて説明する。
【００２１】
図３及び図４に示すように、最上段の球振分装置２３（又は中段の球振分装置２４）には、それぞれ円形凹面状の球振分転動部４３が設けられている。この球振分転動部４３には、所定数のセーフ孔４４と所定数のアウト孔４５が同心円上に形成されている。球流下路２８（又は第１セーフ球流下路３１）から排出されたパチンコ球は、円形の球振分転動部４３に対してほぼ接線方向に流入する。これにより、球振分転動部４３に流入したパチンコ球が円形凹面上を旋回し、そのときのパチンコ球の流れ具合によってパチンコ球がいずれかの孔に落下して、パチンコ球の流下先が振り分けられる。その際、セーフ孔４４に落下したパチンコ球は、第１セーフ球流下路３１（又は第２セーフ球流下路３５）を通って次の球振分装置へ流下し、アウト孔４５に落下したパチンコ球は、第１アウト球流下路３２（又は第２アウト球流下路３６）を通って球集合樋へ流下するようになっている。
【００２２】
本実施例では、右側の最上段の球振分装置２３と中段の球振分装置２４は、球振分転動部４３に、１つのセーフ孔４４と２つのアウト孔４５が形成され、パチンコ球がセーフ孔４４に落下する確率が約１／３になるように設定されている。一方、左側の最上段の球振分装置２３と中段の球振分装置２４は、球振分転動部４３に、２つのセーフ孔４４と１つのアウト孔４５が形成され、パチンコ球がセーフ孔４４に落下する確率が約２／３になるように設定されている。
【００２３】
次に、図５及び図６を用いて、右側及び左側の最下段の球振分装置２５の構成を説明する。右側の最下段の球振分装置２５と左側の最下段の球振分装置２５は、ほぼ同じ構成であるため、同一の図面（図５及び図６）を用いて説明する。
【００２４】
図５及び図６に示すように、最下段の球振分装置２５には、それぞれ円盤状の球振分回転体４６が水平方向に対して傾斜した状態で配置されている。この球振分回転体４６の後方には、球振分回転体４６を駆動するモータ４７が配置され、このモータ４７の回転力がギヤ機構４８等を介して球振分回転体４６に伝達されるようになっている。球振分回転体４６の外周部には、所定数の当り凹部４９と所定数のアウト凹部５０が形成され、当り凹部４９には、パチンコ球が第３アウト球流下路４０へ流下するのを阻止するストッパ５１が設けられている。第２セーフ球流下路３５から排出されたパチンコ球は、回転する球振分回転体４６へ向かって流下し、そのときの球振分回転体４６の回転位置によってパチンコ球がいずれかの凹部に受け入れられて、パチンコ球の流下先が振り分けられる。その際、当り凹部４９に入ったパチンコ球は、当り球流下路３９を通って球集合樋へ流下し、アウト凹部５０に入ったパチンコ球は、第３アウト球流下路４０を通って球集合樋へ流下するようになっている。
【００２５】
本実施例では、右側の最下段の球振分装置２５は、球振分回転体４６に、１つの当り凹部４９と５つのアウト凹部５０が形成され、パチンコ球が当り凹部４９に入る確率が約１／６になるように設定されている。一方、左側の最下段の球振分装置２５は、球振分回転体４６に、２つの当り凹部４９と４つのアウト凹部５０が形成され、パチンコ球が当り凹部４９に入る確率が約１／３になるように設定されている。
【００２６】
以上のように構成したパチンコ機の遊技内容を説明する。
パチンコ機の制御回路（図示せず）は、遊技領域１２を転動するパチンコ球が、始動入賞装置１６に入賞したときに、図柄表示装置１８に表示された３列の図柄を変動させ、変動停止後の図柄の組み合わせが所定の当りの組み合わせになったとき（同じ図柄が横方向に３つ並んだとき）に、サブ遊技用の入賞装置１５の開閉片１５ａを開いて、サブ遊技用の入賞装置１５にパチンコ球が入賞しやすくなるようにする。更に、図柄表示装置１８に表示された図柄（当りの組み合わせになった図柄）に応じて流路切換弁２９の切換位置を制御してサブ遊技用の入賞装置１５に入賞したパチンコ球の流下方向を設定すると共に、センター役物１４に設けた表示部（図示せず）又は図柄表示装置１８によってサブ遊技用の入賞装置１５に入賞したパチンコ球の流下方向を表示する。
【００２７】
その後、遊技領域１２を転動するパチンコ球が、サブ遊技用の入賞装置１５に入賞すると、その入賞したパチンコ球が、流路切換弁２９の切換位置に応じて右側又は左側の最上段の球振分装置２３へ流下する。その際、パチンコ機の制御回路は、右側又は左側の球検出センサ３０の出力に基づいて図柄表示装置１８を制御してパチンコ球の流下方向に応じた画像演出を図柄表示装置１８で表示する。
【００２８】
最上段の球振分装置２３では、球振分転動部４３によってパチンコ球の流下先が振り分けられ、パチンコ球がセーフ孔４４に落下して第１セーフ球流下路３１へ流下するか又はアウト孔４５に落下して第１アウト球流下路３２へ流下する。その際、パチンコ機の制御回路は、第１セーフ球検出センサ３３又は第１アウト球検出センサ３４の出力に基づいて図柄表示装置１８を制御して最上段の球振分装置２３における抽選結果を図柄表示装置１８で表示する。
【００２９】
最上段の球振分装置２３でパチンコ球がセーフ孔４４に落下して第１セーフ球流下路３１へ流下した場合には、そのパチンコ球が中段の球振分装置２４へ流下する。中段の球振分装置２４では、球振分転動部４３によってパチンコ球の流下先が振り分けられ、パチンコ球がセーフ孔４４に落下して第２セーフ球流下路３５へ流下するか又はアウト孔４５に落下して第２アウト球流下路３６へ流下する。その際、パチンコ機の制御回路は、第２セーフ球検出センサ３７又は第２アウト球検出センサ３８の出力に基づいて図柄表示装置１８を制御して中段の球振分装置２４における抽選結果を図柄表示装置１８で表示する。
【００３０】
中段の球振分装置２４でパチンコ球がセーフ孔４４に落下して第２セーフ球流下路３５へ流下した場合には、そのパチンコ球が最下段の球振分装置２５へ流下する。最下段の球振分装置２５では、球振分回転体４６によってパチンコ球の流下先が振り分けられ、パチンコ球が当り凹部４９に入って当り球流下路３９へ流下するか又はアウト凹部５０に入って第３アウト球流下路４０へ流下する。この最下段の球振分装置２５で、パチンコ球が当り凹部４９に入って当り球流下路３９へ流下すると、そのパチンコ球が当り球検出センサ４１で検出されて大当りが成立する。その際、パチンコ機の制御回路は、当り球検出センサ４１又は第３アウト球検出センサ４２の出力に基づいて図柄表示装置１８を制御して最下段の球振分装置２５における抽選結果を図柄表示装置１８で表示する。
【００３１】
尚、右側と左側のうちの一方側の球振分装置２３〜２５でサブ遊技が行われている最中に、更にパチンコ球がサブ遊技用の入賞装置１５に入賞して、他方側の球振分装置２３〜２５でサブ遊技が開始された場合には、図柄表示装置１８の表示部を左右に二分割して、表示部の右側部で右側の球振分装置２３〜２５における抽選結果を表示し、表示部の左側部で左側の球振分装置２３〜２５における抽選結果を表示する。
【００３２】
また、確率変動機能を備えている場合には、最下段の球振分装置２５で大当りが成立した後、確率変動（いわゆる確変）に入るか否かの抽選を図柄表示装置１８を用いて行う。本実施例では、右側の球振分装置２５で大当りが成立した場合には、確率変動に入る確率が３／４になるように設定され、左側の球振分装置２５で大当りが成立した場合には、確率変動に入る確率が１／５になるように設定されている。
【００３３】
最下段の球振分装置２５で大当りが成立した場合には、次のようにして大当りに対する特別遊技を行う。遊技領域１２に配置された可変入賞装置１７の大入賞口１７ａを開放して、可変入賞装置１７の大入賞口１７ａにパチンコ球が入賞しやすくなるようにし、大入賞口１７ａに入賞したパチンコ球の数が規定個数（例えば１０個）に達したとき又は大入賞口１７ａを開放してから所定時間（例えば３０秒）が経過したときに大入賞口１７ａを閉鎖する。このような可変入賞装置１７の開放動作を１ラウンドとして、可変入賞装置１７の開放動作を所定ラウンド数（例えば１５ラウンド）を上限として繰り返すが、もし、１ラウンド中に可変入賞装置１７内の図示しない特定入賞口（いわゆるＶゾーン）にパチンコ球が１個も入賞しなかったときには、そのラウンドで可変入賞装置１７の開放動作を終了する。尚、大当りに対する特別遊技中に、更に最下段の球振分装置２５で大当りが成立した場合には、その分、可変入賞装置１７の開放動作のラウンド数が加算されるようになっている。
【００３４】
以上説明した本実施例では、遊技領域１２以外の場所に、パチンコ球でサブ遊技を行う球振分装置２３〜２５を配置するようにしたので、遊技領域１２内に配置した図柄表示装置１８、可変入賞装置１７等と遊技領域１２外に配置した球振分装置２３〜２５の両方に対して遊技者の期待や興味を抱かせることができ、遊技領域１２の内外のスペースを有効に利用して遊技の面白味を効果的に高めることができる。しかも、遊技領域１２の左右両側方に球振分装置２３〜２５を配置するようにしたので、球振分装置２３〜２５をバランス良く配置することができると共に、パチンコ機前面を有効に利用した迫力のある遊技を実現することができる。
【００３５】
また、本実施例では、球振分装置２３〜２５を、ガラス枠２１の開口部２２（窓ガラス）に対向する範囲内に配置するようにしたので、ガラス枠２１の開口部２２に対向する範囲内に遊技領域１２と球振分装置２３〜２５の両方を収めて両者に一体感を持たせることができ、遊技者に違和感を感じさせることなく球振分装置２３〜２５を配置することができる。しかも、最下段の球振分装置２５を、遊技領域１２の下端よりも下方（つまり、アウト球回収口１９よりも下方）に配置するようにしたので、従来にはない斬新なデザインのパチンコ機を実現することができる。
【００３６】
また、本実施例では、遊技領域１２で入賞装置１５に入賞したパチンコ球（つまり入賞球）で球振分装置２３〜２５によるサブ遊技を行うようにしたので、遊技領域１２でパチンコ球が入賞することをサブ遊技を行うための条件とすることができ、遊技性を高めることができる。
【００３７】
更に、本実施例では、球振分装置２３〜２５を上下３段に並べて配置し、パチンコ球が最上段の球振分装置２３→中段の球振分装置２４→最下段の球振分装置２５の順に流下するようにしたので、球振分装置２３〜２５によるサブ遊技を上段側から下段側へ一段ずつ順に進めることができ、遊技の面白味を更に向上させることができる。
【００３８】
尚、上記実施例では、遊技手段として配置する球振分装置２３〜２５は、円形凹面状の球振分転動部４３や円盤状の球振分回転体４６でパチンコ球の流下先を振り分ける構成としたが、球振分装置の構成は、適宜変更しても良く、例えば、平面状のステージからパチンコ球が転がり落ちる位置によってパチンコ球の流下先を振り分ける構成としたり、可動翼片でパチンコ球の流下先を振り分ける構成としても良い。
【００３９】
また、上記実施例では、遊技領域１２で入賞したパチンコ球でサブ遊技を行う構成としたが、遊技領域１２からワープ通路等を介して供給されたパチンコ球やパチンコ機外には排出されない封入球でサブ遊技を行う構成にしたり、パチンコ球とは異なる球部材でサブ遊技を行う構成にしても良い。更に、遊技領域１２外に配置するサブ遊技手段は、球振分装置に限定されず、パチンコ球、他の球部材、コイン、サイコロ等で遊技を行う構成としても良い。
【００４０】
また、上記実施例では、遊技領域１２の左右両側方に、それぞれ遊技手段（球振分装置２３〜２５）を上下３段に並べて配置したが、例えば、遊技領域１２の右側方と左側方のうちの一方に複数又は１つの遊技手段を配置したり、遊技領域１２の上方と下方の少なくとも一方に複数又は１つの遊技手段を配置しても良い等、遊技手段の位置や数は適宜変更しても良い。
【００４１】
また、上記実施例では、ガラス枠２１の開口部２２に対向する範囲内に、遊技手段（球振分装置２３〜２５）を配置する構成としたが、ガラス枠２１の開口部２２に対向する範囲外（例えばガラス枠２１や前枠の前面）に、遊技手段を配置する構成としても良い。
【００４２】
また、上記実施例では、遊技領域１２の下端よりも下方（つまり、アウト球回収口１９よりも下方）で且つガラス枠２１の開口部２２に対向する範囲内に、最下段の球振分装置２５を配置したが、遊技領域１２の下端よりも下方で且つガラス枠２１の開口部２２に対向する範囲内に、他の役物（例えば図柄表示装置等）や装飾部材（例えばイルミネーション部材等）を配置するようにしても良い。
【００４３】
また、本発明の適用範囲は、一般のパチンコ機に限定されず、アレンジ式のパチンコ機等、球発射装置から発射された遊技球が打ち込まれて転動する遊技領域を備えた種々の遊技機に本発明を適用しても良い。
【図面の簡単な説明】
【００４４】
【図１】本発明の一実施例におけるパチンコ機上部の正面図である。
【図２】球振分装置及びその周辺部の正面図である
【図３】最上段の球振分装置の縦断側面図である。
【図４】球振分転動部の平面図である。
【図５】最下段の球振分装置の縦断側面図である。
【図６】球振分回転体の平面図である。
【符号の説明】
【００４５】
１１…遊技盤、１２…遊技領域、１４…センター役物、１５…サブ遊技用の入賞装置、１６…始動入賞装置、１７…可変入賞装置、１８…図柄表示装置、２０…ガラス扉、２１…ガラス枠、２２…開口部、２３〜２５…球振分装置（遊技手段）、２９…流路切換弁、４３…球振分転動部、４４…セーフ孔、４５…アウト孔、４６…球振分回転体、４９…当り凹部、５０…アウト凹部
【図１】
2006042845.tif 000003
【図２】
2006042845.tif 000004
【図３】
2006042845.tif 000005
【図４】
2006042845.tif 000006
【図５】
2006042845.tif 000007
【図６】
2006042845.tif 000008